(57)【要約】【課題】有効に再利用できる大型テレビ用の梱包箱を提供すること。【解決手段】リアプロジェクタ６０の梱包箱２０は、リアプロジェクタ６０が収納される略矩形状の搭載面を底部とした容器である台座部１と、リアプロジェクタ６０を覆い隠すように台座部１に勘合される六面体をなしたフタ部１０とを、含んで構成されている。このうち台座部１は、リアプロジェクタ６０のテレビ台としての機能を有し、また、フタ部１０も、当該テレビ台の完成度を高めるための一構成部位として再製させることができる。【選択図】図１
2007254009.tif 000002
【特許請求の範囲】
【請求項１】
テレビ用の梱包箱であって、
前記テレビが収納される略矩形状の搭載面を底部とした容器である台座部と、
前記テレビを覆い隠すように前記台座部に勘合される六面体をなしたフタ部とを、含ん
で構成され、
少なくとも前記フタ部の一部は、折り畳んで前記搭載面に置けるように設けられ、
少なくとも前記台座部は、前記搭載面の周囲に前記折り畳まれたフタ部よりも高い縁部
を備えることを特徴とするテレビ用の梱包箱。
【請求項２】
前記台座部の下面には、少なくとも２ヶ所の凹形状が設けられていることを特徴とする
請求項１に記載の梱包箱。
【請求項３】
前記フタ部は、前記台座部における縁部の内周に沿って勘合され、
前記フタ部は、長手方向に切断または折り畳めるように予め加工されてなることを特徴
とする請求項１または２に記載の梱包箱。
【請求項４】
前記台座部における前記テレビの画面と同一方向を向いた面である台座正面に取り付け
るための化粧用のパネルである正面パネルを、さらに有し、
前記台座部を前記テレビのテレビ台とするときには、前記台座正面に前記正面パネルを
取り付け可能に構成されてなることを特徴とする請求項１〜３のいずれか一項に記載の梱
包箱。
【請求項５】
前記台座部に前記テレビを載せたときに生じる前記テレビの画面を含む側面と、前記台
座部の外周との間の部分を化粧するためのパネルである上面パネルをさらに有し、
前記台座部を前記テレビのテレビ台とするときには、前記台座部の上面に前記上面パネ
ルを取り付け可能に構成されてなることを特徴とする請求項１〜４のいずれか一項に記載
の梱包箱。
【発明の詳細な説明】
【技術分野】
【０００１】
本発明は、特に大型テレビ用の梱包箱に係り、特に当該梱包箱の再利用技術に関する。
【背景技術】
【０００２】
近年、家庭用のテレビ受信機は、ハイビジョン放送に代表される画像ソースの高画質化
に沿って、大画面による臨場感ある画像が楽しめる大型テレビの需要が増えている。大型
テレビとしては、例えば、熟成された画像が得られるブラウン管テレビや、ブラウン管テ
レビと比べて軽量な構成で大画面を実現できるリアプロジェクションテレビ（以下、「リ
アプロ」という）などが知られている。また、本明細書において、大型テレビとは、アス
ペクト比１６：９において概ね３６型以上の画面サイズのものを指す。
このような大型テレビは、輸送時における破損などを防止するために、緩衝材などを噛
ませてから、ダンボールなどの梱包箱に入れられていた。
【０００３】
図７は、従来の梱包箱の概略構成図である。
例えば、特許文献１には、台座部５１と、フタ部５２とを主要構成とした従来の梱包箱
５５が開示されている。梱包箱５５は、大型テレビ６０が搭載された台座部５１に、当該
テレビを覆い隠すように六面体状のフタ部５２が被される構成をしていた。
例えば、大型テレビが４７型のリアプロであった場合、リアプロの大きさは、幅１１２
ｃｍ×高さ８８ｃｍ×奥行３７ｃｍ位となる。また、重量は、２８型のブラウン管テレビ
と略同等（約３８ｋｇ）であり、画面サイズの割には、軽量であった。このリアプロの梱
包箱５５は、発泡スチロールなどの緩衝材のスペースを加えて、約幅１３０ｃｍ×高さ１
２０ｃｍ×奥行６０ｃｍの大きさであった。
このリアプロを配送する際は、まず、運搬用のパレットに当該梱包箱を載せて固定する
。次いで、フォークリフトを用いて輸送用のトラックに載せてから、客先まで配送してい
た。また、客先にてリアプロを設置した後、梱包箱は、客先にて廃棄されるか、または、
客先の依頼により運送業者が持ち帰って廃棄していた。
【０００４】
【特許文献１】特開２００４−３３１１６７号公報
【発明の開示】
【発明が解決しようとする課題】
【０００５】
しかしながら、客先にて廃棄された梱包箱は、再生業者により紙資源として再生される
可能性もあるものの、焼却処分、または不法投棄されてしまう恐れもあった。このため、
資源が有効活用されているとは言い難く、また、焼却処分、および不法投棄された場合は
、環境への影響も否定できなかった。また、輸送業者により廃棄される梱包箱は、概ね再
生業者において紙資源として活用されるが、一度配送に使用しただけであり、まだ使用可
能な梱包箱を裁断してしまうのは惜しかった。
このように、従来の梱包箱の使用態様では、梱包箱が有効活用されているとは言い難い
という問題点があった。また、梱包箱自体も、再利用のための工夫がなされていないとい
う問題点があった。
【０００６】
上記課題を解決するために、本発明では、有効に再利用できるテレビ用の梱包箱を提供
することを目的の一つとする。
【課題を解決するための手段】
【０００７】
上述した目的を達成するために、本発明の梱包箱は、テレビ用の梱包箱であって、テレ
ビが収納される略矩形状の搭載面を底部とした容器である台座部と、テレビを覆い隠すよ
うに台座部に勘合される六面体をなしたフタ部とを、含んで構成され、少なくともフタ部
の一部は、折り畳んで搭載面に置けるように設けられ、少なくとも台座部は、搭載面の周
囲に折り畳まれたフタ部よりも高い縁部を備えることを特徴とする。
【０００８】
この構成によれば、台座部は、搭載面の周囲に折り畳まれたフタ部よりも高い縁部を備
えている。また、折り畳んだフタ部の厚さは、台座部をテレビ台として利用する場合に適
した所定の厚さに設定されているため、搭載面の高さはテレビ台に適した高さとなる。
よって、全てを廃棄処理していた従来の梱包箱と異なり、本発明の梱包箱は、台座部を
テレビ台として有効活用することができる。
従って、本発明におけるテレビ用の梱包箱は、有効に再利用することができる。
【０００９】
本発明に係る梱包箱によれば、台座部の下面には、少なくとも２ヶ所の凹形状が設けら
れていることが好ましい。
【００１０】
この構成によれば、台座部の下面には、少なくとも２ヶ所の凹形状が設けられている。
また、２ヶ所の凹形状は、運搬用のフォークリフトにおける２本の腕に対応したものであ
るため、２ヶ所の凹形状を有する台座部をパレットとして梱包箱を運搬することが可能と
なる。
よって、本発明の梱包箱は、運搬のために別体のパレットが必要であった従来の梱包箱
と異なり、別体のパレットを必用とせずに、台座部によりパレット機能を実現している。
従って、本発明におけるテレビ用の梱包箱は、簡便に運搬することができる。
【００１１】
本発明に係る梱包箱によれば、フタ部は、台座部における縁部の内周に沿って勘合され
、フタ部は、長手方向に切断または折り畳めるように予め加工されてなることが好ましい
。
【００１２】
この構成によれば、フタ部は、台座部における縁部の内周に沿って勘合されることから
、容器の底部である設置面をストッパとして台座部に勘合する。
よって、フタ部が台座部の２ヶ所の凹形状を隠してしまうことを防げることから、運搬
に支障を来たすことはない。
また、テレビの画面における長手方向に対応するフタ部の長さは、台座部の搭載面にお
ける長手方向に収まる長さとなる。
よって、梱包箱をテレビ台として再利用する際に、テレビの画面における長手方向に対
応するフタ部の長さを基準として、フタ部を切断および折り畳みすることが可能となり、
切断および折り畳みの工数を低減することができる。
従って、本発明におけるテレビ用の梱包箱は、運搬が容易であるとともに、少ない工数
により有効に再利用することができる。
【００１３】
本発明に係る梱包箱によれば、台座部におけるテレビの画面と同一方向を向いた面であ
る台座正面に取り付けるための化粧用のパネルである正面パネルを、さらに有し、台座部
をテレビのテレビ台とするときには、台座正面に正面パネルを取り付け可能に構成されて
なることが好ましい。
【００１４】
２ヶ所の凹形状には、運搬時にフォークリフトの腕が挿入されるため、凹形状を含む台
座正面には、傷が付きやすい。また、台座正面は、テレビ台として使用する際には、大型
テレビの画面の下側に位置するため、台座部の中では一番目に付く部位である。
この構成によれば、台座部をテレビ台とするときには、台座正面に正面パネルを取り付
け可能であることから、化粧パネルにより台座部の中で一番目に付く部位の外観をきれい
にすることができる。
従って、本発明におけるテレビ用の梱包箱は、再利用により見栄えの良いテレビ台を実
現することができる。
【００１５】
本発明に係る梱包箱によれば、台座部にテレビを載せたときに生じるテレビの画面を含
む側面と、台座部の外周との間の部分を化粧するためのパネルである上面パネルをさらに
有し、台座部をテレビのテレビ台とするときには、台座部の上面に上面パネルを取り付け
可能に構成されてなることが好ましい。
【００１６】
台座部をテレビ台として使用するときに、テレビの画面を含む側面と、台座部の外周と
の間の部分は、視聴者の目に付きやすかった。
この構成によれば、台座部をテレビ台とするときには、台座部の上面に上面パネルを取
り付け可能であることから、上面パネルによりテレビの側面と、台座部との間の部分を化
粧することができる。
従って、本発明におけるテレビ用の梱包箱は、再利用により、見栄えの良いテレビ台を
実現することができる。
【発明を実施するための最良の形態】
【００１７】
以下、本発明の実施形態を図面に基づいて説明する。
【００１８】
（実施形態１）
《梱包箱の概略構成》
図１は、本発明の実施形態１における大型テレビの梱包箱の斜視図である。ここでは、
図１を用いて梱包箱２０の概略構成について説明する。
梱包箱２０は、大型テレビとしてのリアプロジェクタ６０を、保管時におけるゴミの附
着や、輸送時における衝撃および他の物体との接触などから保護するための梱包箱である
。また、梱包箱２０は、リアプロジェクタ６０が客先に納品されて、初期の目的を果たし
た後に、リアプロジェクタ６０のテレビ台として再製可能であり、テレビ台として機能さ
せるための構成を備えている。
リアプロジェクタ６０は、内蔵するプロジェクタが射出する投写光を、画面６１を構成
する透過式のスクリーンの背面に入射させ、画面６１の正面に画像を写し出す背面投写型
表示装置である。また、内蔵プロジェクタとしては、例えば、光源からの光を、赤色光、
緑色光、青色光の光３原色成分に分離し、色光ごとの光変調装置である各色光用の液晶ラ
イトバルブにより画像信号に応じて変調し、再度合成したフルカラーの変調光を拡大投写
する、いわゆる「液晶３板式プロジェクタ」が用いられている。
【００１９】
梱包箱２０は、台座部１、フタ部１０、緩衝用部材（図示せず）などから構成されてい
る。なお、以下説明において、梱包箱２０におけるリアプロジェクタ６０の画面６１に対
応する面を「正面」、画面６１の反対側の面を「背面」、底面を「下面」、下面と相対す
る面を「上面」、正面および背面を含む外周面を「側面」と称する。
台座部１は、上面側から観察したときに略矩形をなしている。台座部１は、運搬用のパ
レットとしての機能と、梱包箱の台座としての機能を担うための構成を備えている。
具体的には、台座部１の下面には、２ヶ所の凹形状２が設けられている。２ヶ所の凹形
状２は、運搬用フォークリフトの２本の腕を挿入するためのものであり、正面における形
状が、背面まで貫通している。また、台座部１は、例えば、紙の種類としてＫ６材（Ｋ級
、重さ約２２０g/ｍ2）を用い、ＡＢフルート（「ダブル」ともいう）加工を施したダン
ボールを材料とし、当該ダンボールを折り曲げたり、複数層に重ね合わせた強靭な構造を
有している。
また、台座部１の上面側には、リアプロジェクタ６０を載せるための搭載面３（図３）
があり、当該搭載面の外周を縁部４が囲っている。つまり、台座部１は、搭載面３を底部
とした略矩形状の容器となっている。
【００２０】
フタ部１０は、六面体をなし、リアプロジェクタ６０を覆い隠すように台座部１の縁部
４の内周に沿って勘合されている。フタ部１０には、底面はなく、上面は、２つの耳部１
１などが合わさって構成されている。フタ部１０は、例えば、紙の種類としてＣ５材（Ｃ
級、重さ約１８０g/ｍ2）を用い、Ａフルート加工を施したダンボールを材料としている
。
緩衝材（図示せず）は、リアプロジェクタ６０における底部の四隅や、リアプロジェク
タ６０の画面６１を含む側面、および上面に適宜配されている。緩衝材としては、例えば
、発泡スチロールなどの発泡プラスチックや、ダンボールを複数回折り曲げた緩衝部材な
どを用いる。緩衝材は、梱包箱２０内におけるリアプロジェクタ６０の位置を固定すると
ともに、外部から梱包箱２０に加わる衝撃を吸収し、リアプロジェクタ６０を保護する働
きをする。なお、本明細書では、説明を簡単にするために、緩衝材の図示を省略している
。
また、梱包箱２０には、リアプロジェクタ６０の付属品であるリモコンや、ケーブル類
などの附属部品が、小箱などに入れられて一緒に梱包されている。また、フタ部１０は、
台座部１に２ヶ所の凹形状２を利用して紐掛けされたり、または、ガムテープなどの梱包
用テープにより固定され、梱包箱２０は一体化されている。
このように梱包されたリアプロジェクタ６０は、梱包箱２０の状態で保管および輸送さ
れる。
【００２１】
《テレビ台の一態様》
図２（ａ）は、展開したフタ部の斜視図である。図２（ｂ）は、フタ部の側面の一加工
態様を示す図である。図３（ａ）は、フタ部加工部材のテレビ台への取り付け手順を示す
図である。図３（ｂ）は、実施形態１におけるテレビ台の完成図である。
ここでは、図２（ａ），（ｂ）、および図３（ａ），（ｂ）を用いて、梱包箱２０をテ
レビ台として再利用するための手順について説明する。
【００２２】
梱包箱２０に収納されたリアプロジェクタ６０が客先に納品され、初期の目的を果たし
た梱包箱２０は、台座部１と、フタ部１０などに分解されている。
前述したとおり台座部１は、搭載面３にリアプロジェクタ６０を搭載することから明ら
かのように、単品でもテレビ台としての機能を有している。しかし、搭載面３から縁部４
の立ち上り形状があるため、台座部１に単純にリアプロジェクタ６０を載せた場合は、画
面６１が縁部４に掛かってしまう。
このため、テレビ台の完成度を高めるために、フタ部１０を加工して搭載面３の高さ調
整を行う。
【００２３】
まず、準備作業として、フタ部１０を複数部位に切断する。
図２（ａ）において、２つの耳部１１を、フタ部１０の辺ｃ，ｄに沿ってそれぞれ切断
する。同様に、組み立て時はフタ部１０の下に隠れていた２つの耳部１２を、辺ｅ，ｆに
沿ってそれぞれ切断する。また、切断した４つの耳部１１，１２は、保管しておく。
この作業により、上面および底面のない筒状の側面部１３が形成される。なお、作業を
容易にするために、辺ｃ，ｄ，ｅ，ｆに、フタ部１０の強度に支障のない程度のミシン目
をあらかじめ入れておいても良い。
【００２４】
次の準備作業として、側面部１３を点線ｇに沿って切断してから、折り曲げ、板状に畳
む。図２（ｂ）は、側面部１３を上面から観察しており、側面部１３を折り畳むステップ
を示している。
ステップＳ１は、初期状態を示している。側面部１３は、略矩形をなしている。
ステップＳ２は、側面部１３の長手方向の面（正面および背面）を基準として、横部分
の面を内側に折り曲げている状態を示している。
ステップＳ３は、横部分の面をしっかりと折り畳み、板状になった状態を示している。
この作業により、側面部１３は、２つの矩形状の板部材１３ａ，ｂ（図３）に加工され
る。また、作業を容易にするために、フタ１０にあらかじめ点線ｇを印刷しておく、ある
いはミシン目を入れておいても良い。なお、点線ｇに沿った側面部１３の切断は、前記ス
テップＳ１〜Ｓ３の折り畳み作業の後に行うことであっても良い。
【００２５】
続いて、準備作業にて準備した４つの耳部１１，１２、および板部材１３ａ，ｂを用い
てテレビ台の搭載面３の高さ調整を行う。
図３（ａ）に示すように、まず、搭載面３に２つの耳部１１を並べて入れる。
その上面に、２つの耳部１２を、それぞれ側面側に入れる。
さらにその上面に、板部材１３ａ，ｂを重ねて入れる。
なお、耳部１１，１２、および板部材１３ａ，ｂのサイズは、上面側から観察して所定
の長辺と、短辺の長さを有する長方形状の搭載面３に、収まるように設定されている。
具体的には、４つの耳部１１，１２は、フタ部１０の上面に収納されていたときと比べ
て、耳部１１と、耳部１２との重ね順が逆になっているだけなので、搭載面３にぴったり
と収まる。また、板部材１３ａ，ｂの長辺の寸法は、フタ部１０の正面の幅寸法であるこ
とから、搭載面３の長辺寸法にぴったり収まる。短辺寸法については、フタ部１０を点線
ｇにより等分した際に、搭載面３の短辺寸法に収まるように、設計段階で高さ設定がなさ
れている。
【００２６】
このようにして重ねられた耳部１１，１２、および板部材１３ａ，ｂによる所定の厚さ
は、縁部４の高さと略同等となるように設定されている。なお、リアプロジェクタ６０を
載せる前段階においては、一番上面となる板部材１３ｂの高さは、縁部４より少し高くな
っている。また、具体的な設計例については後述する。
このようにして、搭載面３の高さ調整が行われテレビ台２２が完成する。
【００２７】
図３（ｂ）は、テレビ台２２にリアプロジェクタ６０を載せた状態を示している。
リアプロジェクタ６０を載せる前段階において、搭載面３の板部材１３ｂの高さは、縁
部４より少し高くなっていたが、リアプロジェクタ６０を載せると、当該リアプロジェク
タの重さにより若干沈み込み、縁部４の高さと略同じになっている。
これによりリアプロジェクタ６０の画面６１を含む正面は、全て視聴者方向から観察可
能な状態となっている。
また、２ヶ所の凹形状２による空間は、正面から背面まで貫通しているので、例えば、
当該スペースの正面にＤＶＤレコーダを設置し、背面において電源や配線ケーブルなどを
配線することもできる。
【００２８】
《設計事例》
ここでは、図１、図２（ａ）、および図３（ａ）を用いて、梱包箱２０の好適な設計事
例について説明する。なお、リアプロジェクタ６０は、アスペクト比１６：９における４
７型であり、サイズは、約幅１１２ｃｍ×高さ８８ｃｍ×奥行３７ｃｍ、重量は、約３８
ｋｇであるものとする。
この場合、図１における梱包箱２０のサイズは、約幅１３０ｃｍ×高さ１２０ｃｍ×奥
行６０ｃｍとする。
また、図２（ａ）におけるフタ部１０のサイズは、約幅１２５ｃｍ×高さ１０５ｃｍ×
奥行５５ｃｍとする。
また、図３（ａ）における台座部１の全体高さは２５ｃｍ、凹形状２の高さは約１０ｃ
ｍ、縁部４の高さは約１０ｃｍとする。
なお、リアプロジェクタ６０を含む大型テレビは、アスペクト比１６：９において概ね
３６型以上の画面サイズの大型テレビであれば良く、それぞれの外形サイズに合わせて前
述した梱包箱２０のサイズを縮小および拡大して適用すれば良い。
【００２９】
上述した通り、本実施形態によれば以下の効果が得られる。
（１）台座部１は、単品でもリアプロジェクタ６０のテレビ台として機能することから
、全てを廃棄処理していた従来の梱包箱と異なり、本発明の梱包箱２０は、台座部１をテ
レビ台として有効活用することができる。また、梱包箱２０を廃棄せずにテレビ台として
再利用することから、梱包箱２０は、環境に優しい。
従って、本発明における大型テレビ用の梱包箱２０は、テレビ台として有効に再利用す
ることができる。
【００３０】
（２）梱包箱２０は、２ヶ所の凹形状２を有する台座部１をパレットとして運搬される
。よって、本発明の梱包箱２０は、運搬用の別体のパレットを必用とせずに、台座部１に
よりパレット機能を実現している。
従って、本発明における大型テレビ用の梱包箱２０は、簡便に運搬することができる。
【００３１】
（３）テレビ台２２は、搭載面３に、耳部１１，１２、および板部材１３ａ，ｂを重ね
て入れることにより完成する。また、重ねられた耳部１１，１２、および板部材１３ａ，
ｂによる所定の厚さは、縁部４の高さと略同等となるように設定されている。
これにより、完成したテレビ台２２にリアプロジェクタ６０を載せると、リアプロジェ
クタ６０の画面６１を含む正面は、全て視聴者から観察可能な状態となる。
よって、フタ部１０を、テレビ台２２の一部として有効活用することができるとともに
、リアプロジェクタ６０の画面６１に縁部４が掛からないようにすることができる。
さらに、テレビ台２２の高さが約２５ｃｍであることから、テレビ台として使い勝手の
良い高さとなっている。さらに、テレビ台２３正面の高さ約１０ｃｍの２ヶ所の凹形状２
による空間は、正面から背面まで貫通しているので、例えば、当該スペースの正面にＤＶ
Ｄレコーダを設置し、背面において電源や配線ケーブルなどを配線することもできる。
従って、本発明における大型テレビ用の梱包箱２０は、再利用により、使い勝手が良く
、画面が見易いテレビ台２２を実現することができる。
【００３２】
（４）フタ部１０は、台座部１の縁部４の内周に沿って勘合されることから、搭載面３
をストッパとして台座部１に勘合する。
よって、フタ部１０が台座部１の２ヶ所の凹形状２を隠してしまうことを防げることか
ら、運搬に支障を来たすことはない。
また、フタ部１０から板部材１３ａ，ｂを作成するときには、リアプロジェクタ６０に
おける画面６１の長手方向の寸法であるフタ部１０正面の幅寸法を基準とした点線ｇに沿
って、板部材１３ａ，ｂを切断する。
よって、板部材１３ａ，ｂにおける最も広い面を生かして加工するため、切断および折
り畳みの工数を低減することができる。
従って、本発明における大型テレビ用の梱包箱２０は、運搬が容易であるとともに、少
ない工数により有効にテレビ台２２として再利用することができる。
【００３３】
（実施形態２）
《テレビ台の異なる態様》
図４（ａ）は、実施形態２における台座部の斜視図である。図４（ｂ）は、実施形態２
におけるテレビ台の斜視図である。図５（ａ）は、実施形態２におけるフタ部の斜視図で
ある。図５（ｂ）は、フタ部の加工態様を示す図である。図６（ａ）は、フタ加工部材、
および付属部品を示す態様図である。図６（ｂ）は、実施形態２におけるテレビ台の完成
図である。
ここでは、図１、図４（ａ），（ｂ）、図５（ａ），（ｂ）、および図６（ａ），（ｂ
）を用いて実施形態２の梱包箱２０ｋをテレビ台として再利用するための手順について説
明する。なお、実施形態２における梱包箱の基本構成および外観は、図１における梱包箱
２０と略同様である。よって、区分けのため、実施形態２の梱包箱を「梱包箱２０ｋ」、
台座部を「台座部１ｋ」、フタ部を「フタ部１０ｋ」と称する。
【００３４】
梱包箱２０ｋは、実施形態１の梱包箱２０と基本構成は同一であるが、以下の３つの相
違点がある。
第１に、台座部１ｋの高さ方向の寸法が、実施形態１の台座部１とは異なる設定となっ
ていること。具体的には、図４（ａ）における台座部１ｋの全体高さは３５ｃｍ、凹形状
２の高さは約１５ｃｍ、縁部４の高さは約１０ｃｍに設定されている。
第２に、テレビ台の外観をきれいにするための化粧パネルが付属部品として付属してい
ること。
第３に、台座部１ｋをテレビ台とする際の加工態様、およびフタ部１０ｋをテレビ台の
構成部位として再製するときの加工態様が、実施形態１と異なること、である。
以下、リアプロジェクタ６０をアスペクト比１６：９における４７型であるものとして
、具体的に説明する。
【００３５】
図４（ａ）は、テレビ台に加工する前の台座部１ｋを示している。台座部１ｋの２ヶ所
の凹形状２の高さは、約１５ｃｍに設定されている。その他の設計寸法は、例えば、実施
形態１における設計事例と同様である。
また、台座正面としての台座部１ｋの正面に取り付けるための、化粧用のパネルである
正面パネル１５が、搭載面３の背面側に付属部品として収められている。正面パネルは、
ポリカーボネイトなどの硬質樹脂製の薄板に、シルク印刷などの印刷を施した化粧パネル
である。
加工手順としては、まず、正面パネル１５を取り出し保管しておく。
続いて、台座部１ｋから縁部４を切断する。なお、切断し易くするために、縁部４の付
け根に強度に支障のない程度のミシン目を入れておいても良い。
【００３６】
図４（ｂ）は、台座部１ｋに正面パネル１５を取り付けた状態を示している。
最後に、縁部４を切断した台座部１ｋの正面に、正面パネル１５を取り付ける。
このようにして、台座部１ｋは、テレビ台２３として再製される。なお、この段階でも
、テレビ台としての機能は有しているが、より完成度を高めるために以下の細工を施す。
【００３７】
図５（ａ）は、フタ部１０ｋの斜視図である。フタ部１０ｋには、正面、背面および上
面を利用して、２つの引き出し１７の展開図が描かれている。当該展開図は、作成される
引き出し１７のサイズが、台座部１ｋの凹形状２のサイズに丁度収まるように設計されて
いる。なお、展開図は、フタ部１０ｋの裏側に描かれていることであっても良いし、フタ
部１０ｋの強度に影響する部分ではないので、ミシン目で描かれていても良い。
フタ部１０ｋの加工手順は、まず、２つの引き出し１７を展開図に沿ってフタ部１０ｋ
から切り出す。
続いて、２つの引き出し１７を組み立てる。
図５（ｂ）は、フタ部１０ｋから再製した２つの引き出し１７を示している。このよう
にして、２つの引き出し１７を準備し保管しておく。なお、付属部品として、引き出しの
取っ手機能を備えた化粧パネル（図示せず）を同一梱包しても良い。
【００３８】
図６（ａ）は、付属部品としての２枚の上面パネル１８と、前記作成した２つの引き出
し１７とを示している。
また、梱包箱２０ｋには、テレビ台２３にリアプロジェクタ６０を載せたときに生じる
、リアプロジェクタ６０の画面６１を含む側面と、テレビ台２３の外周との隙間を隠すた
めの化粧パネルである上面パネル１８が、付属部品として同一梱包されている。上面パネ
ル１８は、Ｌ字状をなし、２枚構成となっている。
なお、これは、上面パネル１８が正面パネル１５と同様の硬質樹脂板である場合の設定
である。例えば、上面パネル１８をポリエステルフィルムなどの軟質樹脂板により構成す
ることであっても良い。この場合、上面パネル１８を、丸めたり、折り畳んで収納するこ
とができるため、１枚で構成することも可能となる。
【００３９】
図６（ｂ）は、２枚の上面パネル１８と、作成した２つの引き出し１７とが取り付けら
れ、リアプロジェクタ６０が載せられたテレビ台２３の完成状態を示している。
２枚の上面パネル１８は、リアプロジェクタ６０の側面と、テレビ台２３の外周との隙
間にそれぞれ取り付けられている。
また、２つの引き出し１７は、それぞれ、２ヶ所の凹形状２に取り付けられている。
このようにして完成したテレビ台２３は、高さが約２５ｃｍであり、正面には、高さ約
１５ｃｍの大容量の引き出し１７が２つ設けられている。さらに、正面および上面には、
それぞれ、正面パネル１５および上面パネル１８が取り付けられている。
【００４０】
上述した通り、本実施形態によれば、実施形態１の効果に加えて以下の効果が得られる
。
（１）台座部１ｋの正面には、運搬時にフォークリフトの腕が挿入されるため傷が付き
やすい。また、台座部１ｋの正面は、テレビ台として使用するときには、リアプロジェク
タ６０の画面６１の下側に位置するため、台座部１ｋの中では一番目に付く部位である。
テレビ台２３の正面には、正面パネル１５が設けられていることから、当該化粧パネル
によりテレビ台２３において一番目に付く部位の外観をきれいにすることができる。
また、テレビ台２３は、高さが約２５ｃｍであることから、テレビ台として使い勝手の
良い高さとなっている。さらに、テレビ台２３の正面には、高さ約１５ｃｍの大容量の引
き出し１７が２つ設けられていることから、引き出し１７を多様な用途に用いることがで
きる。
従って、本発明における大型テレビ用の梱包箱は、再利用により、使い勝手が良く、見
栄えのするテレビ台２３を実現することができる。
【００４１】
（２）縁部４を切断した台座部１ｋの外周は、切断部位があるため見栄えが悪かった。
また、当該外周部位と、リアプロジェクタ６０の画面６１を含む側面との間の部分は、視
聴者の目に付きやすい部位であった。
この構成によれば、台座部１ｋをテレビ台とするときには、台座部１ｋの上面に上面パ
ネル１８を取り付けることから、上面パネル１８によりリアプロジェクタ６０の画面６１
を含む側面と、台座部１ｋとの間の部分を化粧することができる。
従って、本発明における大型テレビ用の梱包箱２０は、再利用により、見栄えの良いテ
レビ台２３を実現することができる。
【００４２】
なお、本発明は上述した実施形態に限定されず、上述した実施形態に種々の変更や改良
などを加えることが可能である。変形例を以下に述べる。
【００４３】
（変形例１）
図３（ｂ）を用いて説明する。前記実施形態１において、あらかじめ台座部１の正面お
よび側面に化粧パネルを貼り付けておいても良い。台座部１をテレビ台２２として用いる
場合、台座部１には、加工を施さないことから、梱包箱２０として利用する段階から正面
および側面に化粧パネルを貼り付けておくことができる。
この構成の場合、保管および輸送時における化粧パネルへの傷を防ぐため、化粧パネル
表面に厚手の保護フィルムを貼り付けておく。保護フィルムは、厚さ０．５ｍｍ以上のポ
リエステルフィルムなどの柔軟樹脂製のフィルムを用いる。
この構成によれば、台座部１をテレビ台２２として使用する段階で、保護フィルムを剥
ぐことにより、傷のないきれいな化粧パネル面が現れる。
従って、再利用により、見栄えのするテレビ台２２を実現することが可能な大型テレビ
用の梱包箱２０を提供することができる。
【００４４】
（変形例２）
図１を用いて説明する。前記各実施形態において、台座部１（ｋ）の材質を合成樹脂に
より構成することであっても良い。
テレビ台には、設置面積を小さくするために、できるだけ搭載される大型テレビにフィ
ットしたサイズであることが望まれている。また、ポリプロピレンや、ポリエチレンなど
の汎用プラスチックは、ダンボールよりも素材強度が高いことが知られている。
このため、台座部１（ｋ）の材質を、汎用プラスチックで構成することにより、台座部
１を小型にすることができる。この構成の場合、フタ部は、ダンボール製のままサイズを
一回り小さくする。また、台座部の正面、および側面には、あらかじめ厚手の保護フィル
ムを設けておく。
また、汎用プラスチックは、成型の自由度が高く、色調も自由に設定できることから、
よりデザイン性に富んだテレビ台を実現することができる。
従って、再利用により、見栄えのするテレビ台を実現することが可能な大型テレビ用の
梱包箱２０（ｋ）を提供することができる。
【００４５】
（変形例３）
図１を用いて説明する。前記各実施形態において、リアプロジェクタ６０は、赤色、青
色、緑色用の３枚の光変調装置である液晶ライトバルブを有するプロジェクタを内蔵して
いたが、この構成に限定するものではない。
例えば、プロジェクタは、赤、緑、青色のカラーフィルタが規則的に格子状に配置され
、１枚でフルカラーの変調光を射出することが可能な単板の液晶ライトバルブを備える構
成であっても良い。また、光変調装置として反射型液晶表示装置や、ティルトミラーデバ
イスを用いる構成としても良い。
また、適用する大型テレビもリアプロジェクタに限定するものではなく、例えば、ブラ
ウン管テレビや、液晶テレビ、プラズマテレビであっても良い。
これらの構成であっても、前記実施形態と同様な作用効果を得ることができる。
【００４６】
前記各実施形態および変形例から把握できる技術的思想について、以下にその効果とと
もに記載する。
【００４７】
（１）大型テレビ用の梱包箱であって、前記大型テレビが収納される略矩形状の搭載面
を底部とした容器である台座部と、前記大型テレビを覆い隠すように前記台座部に勘合さ
れる六面体をなしたフタ部とを、含んで構成され、少なくとも前記台座部は、前記大型テ
レビのテレビ台として機能することを特徴とする大型テレビ用の梱包箱。
【００４８】
この構成によれば、台座部は大型テレビのテレビ台として機能することから、全てを廃
棄処理していた従来の梱包箱と異なり、本発明の梱包箱は、台座部をテレビ台として有効
活用することができる。従って、本発明における大型テレビ用の梱包箱は、有効に再利用
することができる。
【００４９】
（２）前記台座部を前記テレビ台とするときには、前記フタ部を切断および折り畳んで
所定の厚さとし、前記台座部の搭載面に敷き詰めることを特徴とする前記記載の梱包箱。
【００５０】
略矩形状の搭載面を底部とした容器である台座部には、搭載面の外周を囲う縁部があり
、フタ部は、縁部に沿って勘合される。この縁部は、搭載面から一定の高さを持っている
。一定の高さは、フタ部と勘合するために必用な長さであるが、搭載面に大型テレビが載
せられた場合、縁部が大型テレビの画面に掛かってしまうことがあった。
この構成によれば、台座部をテレビ台とするときには、フタ部を切断および折り畳んで
所定の厚さとし、台座部の搭載面に敷き詰めることから、所定の厚さ分、大型テレビの設
置位置が高くなる。よって、所定の厚さを調整することより、縁部が大型テレビの画面に
掛からないようにすることができる。また、これにより、従来廃棄処分されていたフタ部
も、テレビ台の一部として有効活用することができる。
従って、本発明における大型テレビ用の梱包箱は、再利用により画面が見易いテレビ台
を実現することができる。
【図面の簡単な説明】
【００５１】
【図１】実施形態１における梱包箱の斜視図。
【図２】（ａ）展開したフタ部の斜視図、（ｂ）フタ部の側面の一加工態様図。
【図３】（ａ）フタ部加工部材のテレビ台への取り付け手順図、（ｂ）実施形態１におけるテレビ台の完成図。
【図４】（ａ）実施形態２における台座部の斜視図、（ｂ）実施形態２におけるテレビ台の斜視図。
【図５】（ａ）フタ部の斜視図、（ｂ）フタ部の加工態様図。
【図６】（ａ）フタ加工部材、および付属部品を示す態様図、（ｂ）実施形態２におけるテレビ台の完成図。
【図７】従来の梱包箱の概略構成図。
【符号の説明】
【００５２】
１，１ｋ…台座部、２…凹形状、３…搭載面、４…縁部、１０，１０ｋ…フタ部、１１
，１２…耳部、１３…側面部、１３ａ，１３ｂ…板部材、１５…正面パネル、１７…引き
出し、１８…上面パネル、２０，２０ｋ…梱包箱、２２，２３…テレビ台、６０…大型テ
レビとしてのリアプロジェクタ、６１…画面。
【図１】
2007254009.tif 000003
【図２】
2007254009.tif 000004
【図３】
2007254009.tif 000005
【図４】
2007254009.tif 000006
【図５】
2007254009.tif 000007
【図６】
2007254009.tif 000008
【図７】
2007254009.tif 000009